(57)【要約】【課題】容器の自立姿勢の安定した使い勝手のよいディスペンサー付き容器が提供できる。【解決手段】容器（１）の口部にディスペンサー（２）を備えたディスペンサー付き容器において、前記ディスペンサー（２）を、容器（１）の口部に固定保持されるキャップ（２ａ）と、このキャップ（２ａ）の下面に垂下保持され容器内の内容物の吸引、加圧、圧送を司るポンプと、該キャップ（２ａ）の上面のガイド（２ｂ）に沿って上下動させて前記ポンプを駆動するとともに加圧に係る内容物をノズル（２ｃ′）を通して外部へ注出する押圧ヘッド（２ｃ）にて構成する。そして、容器（１）に、その底部を着脱自在に内側に納める凹部（４ａ）を設け、該容器（１）の底部よりも大きな接地面積を確保して容器の自立姿勢の安定化を図るベースカップ（４）を配置する。【選択図】図１
2010120701.tif 000002
【特許請求の範囲】
【請求項１】
容器の口部にディスペンサーを備えたディスペンサー付き容器であって、
前記ディスペンサーは、容器の口部に固定保持されるキャップと、このキャップの下面に垂下保持され容器内の内容物の吸引、加圧、圧送を司るポンプと、該キャップの上面のガイドに沿って上下動させて前記ポンプを駆動するとともに加圧に係る内容物をノズルを通して外部へ注出する押圧ヘッドからなり、
前記容器に、その底部を着脱自在に内側に納める凹部を有し、該容器の底部よりも大きな接地面積を確保して容器の自立姿勢の安定化を図るベースカップを配置したことを特徴とするディスペンサー付き容器。
【請求項２】
前記ベースカップは、容器を押圧して該容器を凹部の内側において固定するスライダーを有する、請求項１記載のディスペンサー付き容器。
【請求項３】
前記ベースカップは、前記凹部を区画する周壁に前記スライダーをスライド可能に支持する切欠部を有する、請求項２記載のディスペンサー付き容器。
【請求項４】
前記スライダーは、任意の位置にて停止してその停止姿勢を維持する位置停止機構を有する、請求項２又は３記載のディスペンサー付き容器。
【請求項５】
前記ガイド又はディスペンサーのステムに着脱自在に装着され、押圧ヘッドの下端とキャップの上端面にそれぞれ当接して押圧ヘッドの上下動を規制し、かつ、押圧ヘッドへの付け替えにより押圧面積の拡大を図るストッパーを設けた、請求項１〜４の何れかに記載のディスペンサー付き容器。
【請求項６】
前記ストッパーは、ガイド又はディスペンサーのステムの側壁に合わさる内壁を有する胴体を備えるものであり、その胴体の一端に、押圧ヘッドの上下動を規制する姿勢にてキャップの上端面に当接する一方、該押圧ヘッドへの付け替えによる反転姿勢にて該押圧ヘッドのヘッド天面と面一になって押圧面積を拡大する鍔部を有する、請求項５記載のディスペンサー付き容器。
【請求項７】
前記ストッパーは、押圧ヘッドの側壁に合わさる内壁を有する胴体を備えるものであり、その胴体の他端に、押圧ヘッドの上下動を規制する姿勢、付け替えによる反転姿勢に係わりなしにガイド又はディスペンサーのステムに係合し該押圧ヘッドの下端との間で段差を形成する壁部を有する、請求項５又は６記載のディスペンサー付き容器。
【請求項８】
前記ストッパーは、胴体の内壁に凹又は凸部を有し、前記押圧ヘッドはストッパーの凹又は凸に嵌合する凸又は凹部を有する、請求項６又は７記載のディスペンサー付き容器。
【発明の詳細な説明】
【技術分野】
【０００１】
本発明は、押圧ヘッドを上下動させることにより容器内の内容物を注出するディスペンサーを装着した容器に係わるものであり、該容器の使い勝手の改善を図ろうとするものである。
【背景技術】
【０００２】
シャンプーやリンス、化粧水あるいは液体石鹸等を入れた容器では押圧ヘッドを上下動させるのみで内容物を適量注出することができるようにディスペンサーを備えたものが多数存在している。
【０００３】
また、この種のディスペンサーは、容器の保管時に押圧ヘッドが不用意に上下動して内容物がこぼれ出ないようにロック機構を備えたものも提案されている（例えば、特許文献１参照）。
【先行技術文献】
【特許文献】
【０００４】
【特許文献１】特開平１０−３２３５８７号公報
【０００５】
ところで、容器に備え付けられている従来のディスペンサーは、押圧部位が押圧ヘッドの天面に限られていることから押しづらく、とくにハンディタイプの容器にあっては容器サイズの小径化に伴って押圧部位の面積がさらに小さくなるため押しづらさが顕著となり、容器を載置した自立姿勢で内容物を注出する場合においては容器の姿勢が不安定となる不具合があった。
【発明の概要】
【発明が解決しようとする課題】
【０００６】
本発明の課題は、小径化されたようなハンディタイプの容器においても自立姿勢の安定化を図りながら押圧ヘッドを押し込むことができる新規なディスペンサー付き容器を提案するところにある。
【課題を解決するための手段】
【０００７】
本発明は、容器の口部にディスペンサーを備えたディスペンサー付き容器であって、
前記ディスペンサーは、容器の口部に固定保持されるキャップと、このキャップの下面に垂下保持され容器内の内容物の吸引、加圧、圧送を司るポンプと、該キャップの上面のガイドに沿って上下動させて前記ポンプを駆動するとともに加圧に係る内容物をノズルを通して外部へ注出する押圧ヘッドからなり、
前記容器に、その底部を着脱自在に内側に納める凹部を有し、該容器の底部よりも大きな接地面積を確保して容器の自立姿勢の安定化を図るベースカップを配置したことを特徴とするディスペンサー付き容器である。
【０００８】
上記のベースカップとしては、容器を押圧して該容器を凹部の内側において固定するスライダーを有するものが好ましい。また、ベースカップには、前記凹部を区画する周壁を形成しておき、該周壁に前記スライダーをスライド可能に支持する切欠部を設けることができる。
【０００９】
スライダーは、任意の位置にて停止してその停止姿勢を維持する位置停止機構を有するものが望ましい。
【００１０】
また、本発明としては、ガイド又はディスペンサーのステムに着脱自在に装着され、押圧ヘッドの下端とキャップの上端面にそれぞれ当接して押圧ヘッドの上下動を規制し、かつ、押圧ヘッドへの付け替えにより押圧面積の拡大を図るストッパーを設けることができる。
【００１１】
ストッパーとしては、ガイド又はディスペンサーのステムの側壁に合わさる内壁を有する胴体を備えるものであり、その胴体の一端に、押圧ヘッドの上下動を規制する姿勢にてキャップの上端面に当接する一方、該押圧ヘッドへの付け替えによる反転姿勢にて該押圧ヘッドのヘッド天面と面一になって押圧面積を拡大する鍔部を有するものが望ましい。
【００１２】
ストッパーは、押圧ヘッドの側壁に合わさる内壁を有する胴体を備えるものであり、その胴体の他端に、押圧ヘッドの上下動を規制する姿勢、付け替えによる反転姿勢に係わりなしにガイド又はディスペンサーのステムに係合し該押圧ヘッドの下端との間で段差を形成する壁部を設けることができる。また、ストッパーは、胴体の内壁に凹又は凸部を有し、前記押圧ヘッドはストッパーの凹又は凸に嵌合する凸又は凹部を有するものが望ましい。
【発明の効果】
【００１３】
ベースカップにより接地面積が広くなるため、容器の自立姿勢が安定し、押圧ヘッドを上下動させるときに容器が転倒することがない。
【００１４】
押圧ヘッドの上下動を阻止するストッパーの付け替えを行うことで押圧ヘッドのヘッド天面の面積の拡大を図ることができるため押圧操作性が改善される。
【００１５】
ベースカップに、任意の位置で停止することができるスライダーを設けておくことによりサイズ（径）の異なる容器を用いる場合においても容易に対応できる。
【図面の簡単な説明】
【００１６】
【図１】本発明にしたがうディスペンサー付き容器の実施の形態を示した図である。
【図２】ベースカップの外観斜視図である。
【図３】図１に示したディスペンサー付き容器の使用例を示した図である。
【図４】ストッパーの外観斜視図である。
【図５】本発明にしたがうディスペンサー付き容器の他の実施の形態を示した図である。
【発明を実施するための形態】
【００１７】
以下、図面を参照して本発明をより具体的に説明する。
図１は本発明にしたがうディスペンサー付き容器の実施の形態を外観について示したものである。
【００１８】
図における１は内容物を収納する容器、２は容器１の口部に装着されるディスペンサーである。ディスペンサー２は、容器１の口部にねじもしくはアンダーカットによって固定保持されるキャップ２ａと、このキャップ２ａの下面に垂下保持され容器１内の内容物の吸引、加圧、圧送を司るポンプ（図示せず）と、キャップ２ａの上面にて起立するガイド２ｂに沿って上下動させてポンプを駆動する押圧ヘッド２ｃからなっており、押圧ヘッド２ｃには加圧に係る内容物を外部へ注出するノズル２ｃ′が一体的に設けられている。なお、前記ガイド２ｂは、キャップ２ａ上面に起立するように形成されるものに限られることはなく、ディスペンサー２のステムが挿通するキャップ２ａの開口部内壁でその機能を果たすものであってもよい。
【００１９】
また、３は押圧ヘッド２ｃの上下動を阻止するストッパーである。このストッパー３は図示したようなガイド２ｂか、若しくはディスペンサー２のステム（図示せず）の側壁に合わさる内壁を有する胴体３ａを有し、その胴体３ａの一端にはキャップ２ａの上端面に当接する鍔部３ｂが設けられている。
【００２０】
また、４は容器１の自立姿勢を安定化させるベースカップである。このベースカップ４は図２に示すように、容器１の底部を着脱自在に内側に納める凹部４ａを有し、該容器１の底部よりも大きな接地面積を有する。
【００２１】
５はベースカップ４の凹部４ａを区画する周壁４ｂの一部に形成された切欠部Ｋにスライド可能に弾性支持され容器１を押圧して凹部４ａの内側において固定するスライダーである。このスライダー５は容器１の径が異なることがあってもベースカップ４にしっかりと固定できるように任意の位置で停止させてその停止姿勢を維持する位置停止機構を設けておくことが可能で、かかる位置停止機構としては、圧接によるもの、凹凸係合によるもの、あるいはラチェット等によるものが適用でき、その形成位置は任意である。
【００２２】
このストッパー３の胴体３ａをガイド２ｂが、若しくはディスペンサー２のステムに係合させて図１に示すように押圧ヘッド２ｃの下端とキャップ２ａの相互間に位置せしめておくことにより、押圧ヘッド２ｃの上下動は阻止されるので、容器の保管時に不用意な力が作用しても内容物が注出されることはない。
【００２３】
一方、内容物を注出すべく、ストッパー３を図３に示すように反転姿勢にして、ストッパー３の鍔部３ｂが押圧ヘッド２ｃの天面と面一となるように付け替えることで押圧ヘッド２ｃの天面の面積（押圧面積）は拡大される。
【００２４】
押圧ヘッド２ｃの天面における面積が拡大されるとサイズの小さな押圧ヘッドであっても内容物の注出操作がし易くなる。
【００２５】
また、径の細いハンディタイプの容器にあっては、図示のように、接地面積の大きなベースカップ４を装着することによって容器１が支えられるので、容器の自立姿勢も安定する。
【００２６】
ストッパー３の胴体３ａの内壁及び鍔部３ｂに図４に示すような凸部３ｃを設け、この凸部３ｃに嵌合させる凹部２ｄを押圧ヘッド２ｃの外壁に形成しておくと（図１参照）、ストッパー３を押圧ヘッド２ｃに確実に固定保持することが可能となり、天面と顎部３ｂとの位置合わせが容易となる。
【００２７】
ストッパー３には凸部３ｃに換えて凹部を設け、押圧ヘッド２ｃに該凹部に嵌合する凸部を設けてももちろんよく、この点については限定されない。さらには、凸部（又は凹部）３ｃと、凹部２ｄ（又は凸部）の接触面に、小突起と溝部等との組合せによる係合部（図示せず）を形成することもできる。
【００２８】
図５は本発明にしたがうディスペンサー付き容器の他の実施の形態を示したものである。
キャップ２ａの上面にて起立するガイド２ｂの径がとくに細い場合あるいはディスペンサー２のステムに直接ストッパー３を取り付ける場合には、このガイド２ｂあるいはステムのサイズにストッパー３の胴体３ａの内壁サイズを合わせると、ストッパー３を押圧ヘッド２ｃに付け換えることができない場合が生じる。
【００２９】
このような場合には、ストッパー３の胴体３ａの内壁寸法は押圧ヘッド２ｃのサイズに合わせておき（ガイド２ｂあるいはディスペンサー２のステムと内壁との間には隙間が形成される）、その他端に、押圧ヘッド２ｃの下端との間で段差tを形成する壁部３ｄを設ける。この壁部３ｄはストッパー３の装着姿勢（押圧ヘッド２ｃを上下動を規制する姿勢、反転姿勢）に係わらずガイド２ｂあるいはステムに係合する。
【００３０】
上記段差ｔはストッパー３を押圧ヘッド２ｃに付け換えた場合に該押圧ヘッド２ｃの下端に突き当たるようになり、ストッパー３のより確実な位置決めが可能となる。
【産業上の利用可能性】
【００３１】
使用時において押圧ヘッドを押し込む場合においても容器の自立姿勢の安定した使い勝手のよいディスペンサー付きの容器が提供できる。
【符号の説明】
【００３２】
１  容器
２  ディスペンサー
２ａ  キャップ
２ｂ  ガイド
２ｃ  押圧ヘッド
２ｃ′ノズル
３  ストッパー
３ａ  胴体
３ｂ  鍔部
３ｃ  凸部
３ｄ  壁部
４  ベースカップ
４ａ  凹部
４ｂ  周壁
５  スライダー
Ｋ  切欠部
【図１】
2010120701.tif 000003
【図２】
2010120701.tif 000004
【図３】
2010120701.tif 000005
【図４】
2010120701.tif 000006
【図５】
2010120701.tif 000007